(57)【特許請求の範囲】
【請求項１】
透光性基板と、この透光性基板に印刷によりベタ塗り形成された遮光層と、この遮光層を部分的に抜き形成してなる透光性の表示部と、この表示部と前記遮光層とを覆う透光性の加飾層とからなる表示板と、この表示板の背面に配置され表示部を背後から照らす光源とを備え、前記加飾層が複数の基本色層を完全もしくは部分的に積層されてなる照明装置において、前記表示部を覆う前記加飾層領域が複数の前記基本色層の中から前記光源の発光色と補色もしくは補色に近い色に相当する特定の前記基本色層を除いてなる特定基本色除去層からなることを特徴とする照明装置。
【請求項２】
透光性基板と、この透光性基板に印刷によりベタ塗り形成された遮光層と、この遮光層を部分的に抜き形成してなる透光性の表示部と、この表示部と前記遮光層とを覆う透光性の加飾層とからなる表示板と、この表示板の背面に配置され表示部を背後から照らす光源とを備え、前記加飾層が複数の基本色層を完全もしくは部分的に積層されてなる照明装置において、前記加飾層が前記表示部を覆う第１の加飾層領域とこの第１の加飾層領域の周囲に広がる第２の加飾層領域とからなり、これら第１，第２の加飾層領域の双方が前記光源の発光色と補色もしくは補色に近い色に相当する特定の前記基本色層を含んで構成され、前記第１の加飾層領域における前記特定の前記基本色層の濃度を前記第２の加飾層領域における前記特定の前記基本色層の濃度よりも低く設定したことを特徴とする照明装置。
【請求項３】
前記光源の発光色が赤またはアンバーのとき、前記特定の前記基本色層はＣ（シアン）であることを特徴とする請求項１または請求項２のうち何れか一つに記載の照明装置。
【請求項４】
前記光源の発光色が緑または青のとき、前記特定の前記基本色層はＭ（マゼンダ）であることを特徴とする請求項１または請求項２のうち何れか一つに記載の照明装置。
【発明の詳細な説明】
【技術分野】
【０００１】
本発明は、例えば自動車やオートバイに搭載される照明装置に関し、特に透光性の表示部を有する表示板と、この表示板の背後に配置した光源とを有し、光源の点灯により表示部を発光表示させる照明装置に関する。
【背景技術】
【０００２】
この種の照明装置として例えば下記特許文献１に記載されたものが知られている。この照明装置は、透光性基板と、この透光性基板の背面全体に形成されたベタ塗りのスクリーン印刷層からなる遮光層と、この遮光層を部分的に抜き印刷することにより形成された表示部と、透光性基板の前面全体に形成された加飾層とからなる表示板と、この表示板の背面に配置され表示部を背後から照らす光源とを備えている。
【０００３】
表示部は、計器の目盛、文字、指標、マークに対応する形状に抜き印刷されており、光源の点灯により発光する。
【０００４】
加飾層は、各々がＹ（イエロー），Ｍ（マゼンダ），Ｃ（シアン），Ｋ（ブラック）からなるドット状の基本色層をオフセット印刷手法を用いて完全もしくは部分的に積層することにより木目調、金属調、石目調等の各種模様（パターン）や写真等の精細画像を表現するもので、これら模様や画像は前面側から入射する光の反射により視認されると共に表示部からの光を透過できるように透光性を有している。これにより加飾層が視認される状態で光源が点灯すると、加飾層からなる背景中に明るく発光する表示部が明確に視認される一方、光源の消灯時は表示部の存在は光源の点灯時と比較すると目立たない。
【先行技術文献】
【特許文献】
【０００５】
【特許文献１】特開２０００−３３７９３１号公報（図５）
【発明の概要】
【発明が解決しようとする課題】
【０００６】
ところで、この種の照明装置に適用される光源は、発光ダイオードが主流となっており、白色以外の単色もしくは特定色発光の発光ダイオードとしては、赤、アンバ、緑、青の発光色が用いられる。しかしながら、表示部を覆う加飾層の中に光源の発光色と色相環上の補色（もしくは補色に近い色）に相当する特定の基本色層が含まれていると、光源の光が加飾層を透過する過程で特定の基本色層部分の色み（透過色）が変化したり、透過光量が減少する。例えば表示部を覆う加飾層領域がＣ（シアン）からなる特定の基本色層を含み、光源の発光色が赤の場合、特定の基本色層が黒や紫となってしまう。この結果、表示部が発光した際に、発光意匠が暈けたり、色味変化や輝度低下とった問題が生じる。
【０００７】
そこで、本発明は前述した問題点に着目し、複数の基本色層を積層してなる加飾層に覆われた表示部を単色もしくは特定色発光の光源を用いて発光させる場合に、表示品質を向上させることが可能な照明装置を提供することを目的とする。
【課題を解決するための手段】
【０００８】
本発明は、透光性基板と、この透光性基板に印刷によりベタ塗り形成された遮光層と、この遮光層を部分的に抜き形成してなる透光性の表示部と、この表示部と前記遮光層とを覆う透光性の加飾層とからなる表示板と、この表示板の背面に配置され表示部を背後から照らす光源とを備え、前記加飾層が複数の基本色層を完全もしくは部分的に積層されてなる照明装置において、前記表示部を覆う前記加飾層領域が複数の前記基本色層の中から前記光源の発光色と補色もしくは補色に近い色に相当する特定の前記基本色層を除いてなる特定基本色除去層からなることを特徴とする。
このように構成することにより、表示部を覆う加飾層領域が補色もしくは補色に近い色に相当する特定の基本色層を含まないため、発光意匠の暈け、色味変化、輝度低下等を抑制し、表示品質を向上させることができる。
【０００９】
また本発明は、透光性基板と、この透光性基板に印刷によりベタ塗り形成された遮光層と、この遮光層を部分的に抜き形成してなる透光性の表示部と、この表示部と前記遮光層とを覆う透光性の加飾層とからなる表示板と、この表示板の背面に配置され表示部を背後から照らす光源とを備え、前記加飾層が複数の基本色層を完全もしくは部分的に積層されてなる照明装置において、前記加飾層が前記表示部を覆う第１の加飾層領域とこの第１の加飾層領域の周囲に広がる第２の加飾層領域とからなり、これら第１，第２の加飾層領域の双方が前記光源の発光色と補色もしくは補色に近い色に相当する特定の前記基本色層を含んで構成され、前記第１の加飾層領域における前記特定の前記基本色層の濃度を前記第２の加飾層領域における前記特定の前記基本色層の濃度よりも低く設定したことを特徴とする。
このように構成することにより、表示部を覆う第１の加飾層領域における特定の基本色層の濃度が低いため、発光意匠の暈け、色味変化、輝度低下等を抑制し、表示品質を向上させることができる。
【００１０】
また本発明は、前記光源の発光色が赤またはアンバーのとき、前記特定の前記基本色層はＣ（シアン）であることを特徴とする。
【００１１】
また本発明は、前記光源の発光色が緑または青のとき、前記特定の前記基本色層はＭ（マゼンダ）であることを特徴とする。
【発明の効果】
【００１２】
本発明によれば、表示品質を向上させることが可能な照明装置を提供することができる。
【図面の簡単な説明】
【００１３】
【図１】本発明の第１の実施形態による照明装置の正面図。
【図２】図１のＡ−Ａ断面図。
【図３】本発明の第２の実施形態による照明装置の正面図。
【発明を実施するための形態】
【００１４】
（第１の実施形態）
本発明の第１の実施形態による照明装置は、例えば車両用計器の計器板に組み込まれるものであり、図１、図２に示すように、回路基板１と、光源２と、表示板３とで構成されている。
【００１５】
回路基板１は、例えばガラスエポキシ系材料からなる硬質の一枚基板かならなり、車両用計器において例えば図示省略した指針駆動用のステッピングモータや液晶表示パネル等を駆動する回路基板として形成されていてもよい。
【００１６】
光源２は、回路基板１に実装された発光ダイオードからなり、表示板３に形成される後述する表示部に対応した位置であって前記表示部の個数（３つ）分、配置されている。
【００１７】
表示板３は、透光性基板３１と、この透光性基板の背面に形成された第１の着色層３２と、この第１の着色層の背面に形成された第１の遮光層３３と、透光性基板３１の前面に形成された第２の遮光層３４と、この第２の遮光層の前面に形成された第２の着色層３５と、この第２の着色層３５の前方に形成された加飾層３６と、この加飾層３６の前面に形成された保護層３７とで構成されている。なお表示板３は、図示しないが、前記ステッピングモータによって駆動される指針の指示対象となる目盛、文字等の指標部や前記液晶パネルを臨む窓部が形成されるものであってもよい。
【００１８】
透光性基板３１は、例えば透明な合成樹脂からなり、光源２の前面側に例えば回路基板１と平行に配置されている。
【００１９】
第１の着色層３２は、例えばスクリーン印刷によりベタ塗り形成された透光性を有する乳白色層からなり、透光性基板３１の背面全面を覆っている。この第１の着色層３２は、後述する表示部３８を透過する光を拡散して均一化すると共に透光性基板３１内を進む光の導光効率を高める機能等を有している。
【００２０】
第１，第２の遮光層３３，３４は、例えばスクリーン印刷によりベタ塗り形成された遮光性を有する黒色層からなり、光源２からの光の透過領域を規定する。これら第１，第２の遮光層３３，３４の一部は部分的に抜き形成され、この第１，第２の遮光層３３，３４の無い抜き部によって透光性の表示部（発光領域）３８が形成されている。
【００２１】
表示部３８は、本実施形態の場合、ターンインジケータ意匠を形成するマーク３８ａと、シートベルトインジケータ意匠を形成するマーク３８ｂと、チェックエンジンインジケータ意匠を形成するマーク３８ｃとからなり、前記抜き部の形状は、これらマーク３８ａ〜３８ｃの形状に対応している。またこれらマーク３８ａ〜３８ｃの個数分、独立した光源２が設けられており、マーク３８ａに対応する光源２の発光色は緑、マーク３８ｂ，３８ｃに対応する光源２の発光色は赤である。なお図１では、マーク３８ａのみ点線にて外径線を示している。
【００２２】
第２の着色層３５は、例えばスクリーン印刷によりベタ塗り形成された透光性を有する乳白色層からなり、表示部３８を含む領域を連続的に覆っている。この第２の着色層３５は、表示部３８を透過する光を拡散して均一化すると共に加飾層３６の発色性を向上させる機能を有している。なお第２の着色層３５と第１の着色層３２の全体、あるいは着色層３２，３５の表示部３８対応箇所は、ベタ塗りではなく、ドット（網点）状の印刷層として設けることもできる。このようにドット状に設けることで、透過輝度を高めることができる。
【００２３】
加飾層３６は、例えばＹ，Ｍ，Ｃ，Ｋ（イエロー，マゼンダ，シアン，ブラック）からなる４色の独立したドット状の基本色層を完全もしくは部分的に積層することにより金属調（例えば直線状のヘアラインが入ったシルバーメタリック）の質感（テクスチャー）を表現する。この加飾層３６は透光性を有し、表示部３８を含む第２の着色層３５の全体領域を覆うよう形成されている。形成手法としては、スクリーン印刷、オフセット印刷、インクジェット等のデジタル印刷を用いて形成することができる。
【００２４】
保護層３７は、例えばスクリーン印刷によりベタ塗り形成された透明層からなり、加飾層３６の全体を覆っている。この保護層３７は、表示板３の表面を傷から保護するものである。
【００２５】
このように構成される照明装置は、前面側から入射する光の反射により加飾層３６が視認される。そして加飾層３６の視認状態で光源が点灯すると、加飾層３６からなる背景中に明るく発光する表示部３８が明確に視認される。また光源が消灯している場合、加飾層３６に覆われた表示部３８は、背景である加飾層と完全には同化しないが、その存在は光源の点灯時と比較すると目立たないようになっている。
【００２６】
ここで加飾層３６に注目すると、加飾層３６は、表示部３８ａを覆う第１の加飾層領域３６ａと、この第１の加飾層領域３６ａの周囲に広がる第２の加飾層領域３６ｂとに分けることができるが、第１の加飾層領域３６ａと第２の加飾層領域３６ｂとでは、各領域３６ａ，３６ｂに包含される基本色層が異なっている。
【００２７】
すなわち第２の加飾層領域３６ｂは、Ｙ，Ｍ，Ｃ，Ｋからなる基本色層のうち、全ての基本色層を含んで構成されるが、第１の加飾層領域３６ａは、Ｙ，Ｍ，Ｃ，Ｋからなる基本色層のうち、特定の基本色層であるＭ（マゼンダ）を除いた特定基本色除去層からなる。
【００２８】
これは光源２の発光色が緑色あることに起因するもので、第１の加飾層領域３６ａにおいて除去された特定の基本色層であるＭ（マゼンダ）は、光源２の発光色（緑）に対し色相環上の補色（もしくは補色に近似する色に）相当し、この補色に相当するＭ（マゼンダ）を第１の加飾層領域３６ａから除去することにより、表示部３８ａが発光したときの発光意匠の暈け、色味変化、輝度低下等を抑制し、表示品質を向上させている。
【００２９】
一方、表示部３８ｂ，３８ｃを覆う第１の加飾層領域３６ａは、光源２の発光色が赤であることに起因して、色相環上の補色（もしくは補色に近似する色に）相当する特定の基本色層であるＣ（シアン）を除去した特定基本色除去層からなり、同じく表示部３８ｂ，３８ｃが発光したときの発光意匠の暈け、色味変化、輝度低下等を抑制し、表示品質を向上させている。
【００３０】
以上の通り、本実施形態は、透光性基板３１と、この透光性基板３１に印刷によりベタ塗り形成された遮光層３３，３４と、この遮光層３３，３４を部分的に抜き形成してなる透光性の表示部３８と、この表示部３８と遮光層３３，３４とを覆う透光性の加飾層３６とからなる表示板３と、この表示板３の背面に配置され表示部３８を背後から照らす光源２とを備え、加飾層３６が複数の基本色層を完全もしくは部分的に積層してなる照明装置において、表示部３８を覆う加飾層領域３８ａが複数の基本色層の中から光源２の発光色と補色もしくは補色に近い色に相当する特定の基本色層（Ｃ（シアン）あるいはＭ（マゼンダ））を除いてなる特定基本色除去層からなることにより、表示部３８を覆う加飾層領域３８ａが補色もしくは補色に近い色に相当する特定の基本色層を含まないため、発光意匠の暈け、色味変化、輝度低下等を抑制し、表示品質を向上させることができる。
【００３１】
また本実施形態では、光源２の発光色が赤のとき、特定の基本色層としてＣ（シアン）を加飾層領域３８ａから除去したが、光源２の発光色がアンバーのときＣ（シアン）を抜いてもよい。
【００３２】
また本発明は、前記光源の発光色が緑のとき、特定の基本色層としてＭ（マゼンダ）を加飾層領域３８ａから除去したが、光源の発光色が青のとき、Ｍ（マゼンダ）を抜いてもよい。
【００３３】
なお加飾層領域３８ａから除去する特定の基本色層は、厳密な意味で色相環上の補色である必要はなく、光源２の発光色によっては補色に近似する基本色層であってもよい。
【００３４】
（第２の実施形態）
図３は、本発明の第２の実施形態として、加飾層３６による第１の実施形態とは異なる表現パンターンの一つとして、石目（大理石調）の模様を示すものである。
【００３５】
なお表現パンターンは、金属調、木目調、石目調等の各種模様の他、イラスト、写真等の精細画像を表現してもよい。
（第３の実施形態）
前記第１の実施形態では、光源２の発光色に応じて特定の基本色層を加飾層領域３８ａから除去する例を示したが、加飾層領域３８ａにおいて特定の基本色層の濃度を低下させてもよい。
【００３６】
すなわち、第１，第２の加飾層領域３６ａ，３６ｂの双方を、光源２の発光色と補色もしくは補色に近い色に相当する特定の基本色層を含んで構成し、第１の加飾層領域３８ａにおける特定の基本色層の濃度を第２の加飾層領域３８ｂにおける特定の基本色層の濃度よりも低く設定することにより、特定の基本色層を完全に除去しなくとも、発光意匠の暈け、色味変化、輝度低下等を抑制し、表示品質を向上させることができる。
【符号の説明】
【００３７】
１  回路基板
２  光源
３  表示板
３１  透光性基板
３２  第１の着色層
３３  第１の遮光層
３４  第２の遮光層
３５  第２の着色層
３６  加飾層
３６ａ  第１の加飾層領域
３６ｂ  第２の加飾層領域
３７  保護層
３８  表示部（発光領域）
３８ａ  マーク
３８ｂ  マーク
３８ｃ  マーク
【図１】
0005429691.tif 000002
【図２】
0005429691.tif 000003
【図３】
0005429691.tif 000004